(57)【要約】【課題】  部品点数を少なくして装置全体をコンパクトにして組付作業及び投入作業を容易に行えるとともに、天蓋の開閉作業を安定したわずかな労力で行うことができるコンテナの天蓋開閉装置を提供する。【解決手段】  コンテナ１の上方開口部８に、開口部８を開閉しうる左右一対の天蓋１０を設け、前記各天蓋１０の前後両端部には、基部をコンテナ１側に回動可能に設けてなるアーム１２の先部を軸支し、前記コンテナ１の前後には、左右のアーム１２を同調回動させうる同調手段２１を設けている。前記左右のアーム１２の一方側に、天蓋閉鎖位置及び天蓋開放位置にてアーム１２を起立方向に付勢しうるスプリングシリンダ３７を設け、前記一方側のアーム１２には、伝達手段３０を介して回動させうる操作レバー３１を設けている。  【選択図】      図１
2005132498.tif 000002
【特許請求の範囲】
【請求項１】
コンテナの上方開口部に、開口部を開閉しうる左右一対の天蓋を設け、前記各天蓋の前後両端部には、基部をコンテナ側に回動可能に設けてなるアームの先部を軸支し、前記コンテナの前後には、左右のアームを同調回動させうる同調手段を設けるとともに、前記左右のアームの一方側に、天蓋閉鎖位置及び天蓋開放位置にてアームを起立方向に付勢しうるスプリングシリンダを設け、前記一方側のアームには、伝達手段を介して回動させうる操作レバーを設けてなることを特徴とするコンテナの天蓋開閉装置。
【発明の詳細な説明】
【技術分野】
【０００１】
本発明はコンテナの上方開口部を開閉する天蓋開閉装置に関する。
【背景技術】
【０００２】
従来の天蓋開閉装置は、特許文献１に開示されている如く、コンテナの上方開口部を覆う左右一対の天蓋を、前後一対のアームにて回動可能に連結してあり、コンテナの前壁に設けた操作レバーを回転操作することにより、左右のアームがチェーンを介してコンテナの側方へ回動し、左右の天蓋を開放するようになっている。
前記各アームの基部にはコイルスプリングを前後一対設けてあり、天蓋開放時には一方側のコイルスプリング、天蓋閉鎖時には他方側のコイルスプリングにてそれぞれアームを起立方向に付勢させて開閉操作を容易に行えるようにしてある。
【０００３】
【特許文献１】特開２００１−３９４８７号公報
【発明の開示】
【発明が解決しようとする課題】
【０００４】
ところが前記構造にあっては、前後左右４箇所のアーム毎に前後一対のコイルスプリングが必要になるため、部品点数が多く組付作業が煩雑になるとともに、装置全体が前後方向に長くなることから、コンテナの開口部が狭くなり開口部からの積載物の投入作業がしにくいという欠点があった。また、天蓋開放時には片持ち支持になるため、この位置から起立させるときの方が天蓋閉鎖時から起立させるよりも大きな力を要するが、前記一対のコイルスプリングは同じ付勢力であるので、開放時と閉鎖時とで操作レバーの操作力に差が生じ、操作性に劣るという欠点もあった。
【０００５】
そこで本発明は、部品点数を少なくして装置全体をコンパクトにして組付作業及び投入作業を容易に行えるとともに、天蓋の開閉作業を安定したわずかな労力で行うことができるコンテナの天蓋開閉装置を提供することを目的としている。
【課題を解決するための手段】
【０００６】
本発明のコンテナの天蓋開閉装置は、コンテナの上方開口部に、開口部を開閉しうる左右一対の天蓋を設け、前記各天蓋の前後両端部には、基部をコンテナ側に回動可能に設けてなるアームの先部を軸支し、前記コンテナの前後には、左右のアームを同調回動させうる同調手段を設けるとともに、前記左右のアームの一方側に、天蓋閉鎖位置及び天蓋開放位置にてアームを起立方向に付勢しうるスプリングシリンダを設け、前記一方側のアームには、伝達手段を介して回動させうる操作レバーを設けてなることを特徴としている。
【０００７】
これにより、部品点数が少なくなり組付け作業を容易に行えるとともに、天蓋開閉操作を安定したわずかな労力で簡単容易に行うことができる。また装置全体をコンパクトにすることができるため、コンテナの開口部を広くすることができ積載物の投入作業を容易に行うことができる。
【発明の効果】
【０００８】
以上の如く本発明は、左右の天蓋を支持してなる前後左右のアームを、前後一対のスプリングシリンダにて起立方向に付勢させるようにしたので、前後左右の各アーム毎にコイルスプリングを前後一対設けて起立方向に付勢させる従来の場合と比較すると、部品点数が少なくなり組付け作業を容易に行える。また、スプリングシリンダのスプリングの付勢力を天蓋閉鎖位置よりも天蓋開放位置において大きく作用するようにしているので、天蓋開閉操作を安定したわずかな労力で簡単容易に行うことができる。さらに、装置全体の前後方向の長さを短くすることができるため、コンテナの開口部を広くすることができ積載物の投入作業を容易に行うことができる。
【発明を実施するための最良の形態】
【０００９】
以下、本発明のコンテナの天蓋開閉装置の実施の形態を図面に基づいて説明する。図１乃至図３において、１はコンテナであって、該コンテナ１は前後左右に配置された支柱２間に前壁３、側壁４、後扉５及び底板６とにより箱形に形成され、前記コンテナ１上部の前後に固定された天井フレーム７間には開口部８を開閉しうる天蓋開閉装置９を設けてある。
以下、前記天蓋開閉装置９について説明すると、前記開口部８には左右一対の天蓋１０を設けてあり、各天蓋１０の内端部には前後方向に支持軸１１を挿通してあり、前記支持軸１１の前後両端部にはそれぞれアーム１２の先部を軸支してある。前記各アーム１２の基部は、天井フレーム７上面にブラケット１３を介して回転可能に軸支された回転軸１４に固定されている。
【００１０】
前記各天蓋１０の外端部は、図４に示す如く側壁４上面の前後両端部に固定されたブラケット１５に回転自在に支持されたガイドローラ１６によりスライド可能に支持されるとともに、天蓋１０に突設された係合ピン１７を前記ブラケット１５の上部に形成した係合溝１８に係合させており、コンテナ１搬送時に天蓋１０の外端部が振動や風圧にて上下動するのを防止するようになっている。
これにより回転軸１４の回転にてアーム１２を回動させることにより、天蓋１０は開口部８を覆う閉鎖位置（図７）と、側壁４の外側面に沿接する開放位置（図１１）との間を移動するようになっている。
【００１１】
１９は側壁４の外面に固定されたクッションゴムで、図１１に示す如く開放位置にて天蓋１０がクッションゴム１９に当接することにより天蓋１０の損傷を防止するようにしてある。
２０は一方の天蓋１０（図３左側）の内端部に固定されたシール部材で、閉鎖位置にて前記シール部材２０が他方の天蓋１０の内端部に当接することにより両天蓋１０が干渉するのを防止するようにしてある。
【００１２】
前記各回転軸１４間には、回転軸１４とともに前後左右のアーム１２を同調して回動させる同調手段２１を設けてある。前記同調手段２１は、図１、図５及び図６に示す如く各回転軸１４に第１スプロケット２２をそれぞれ固着し、左右の第１スプロケット２２間には無端状の第１チェーン２３を８の字状に掛け回してなり、左右の回転軸１４を同調して回転させるようになっている。また前後の天井フレーム７の一側（図１下側）にはブラケット２４を介して連結軸２５を回転可能に軸支してあり、前記連結軸２５の両端部に固着された第２スプロケット２６と、この各第２スプロケット２６に近接する回転軸１４に固着された第２スプロケット２７との間には無端状の第２チェーン２８を掛け回してあり、前後の回転軸１４を同調して回転させるようにしてある。
【００１３】
前記前壁３に形成された窪み部２９には、図２に示す如く伝達手段３０を介して操作レバー３１を設けてある。前記伝達手段３０は、窪み部２９の底部にブラケット３２を介して操作軸３３を回転可能に支持し、この操作軸３３に固着された下部スプロケット３４と、前記窪み部２９上方の回転軸１４に固着された上部スプロケット３５との間に、無端状の第３チェーン３６を掛け回してある。
【００１４】
前記構成にて操作レバー３１を回転操作することにより、下部スプロケット３４、第３チェーン３６を介して上部スプロケット３５を固着した回転軸１４を回転させるとともに、第１チェーン２３、第２チェーン２８及び連結軸２５を介して前後左右の回転軸１４を同調して回転させてようになっている。
【００１５】
前記第２スプロケット２７が固着された前後の回転軸１４には、アーム１２を開放位置及び閉鎖位置にて起立方向へ付勢するスプリングシリンダ３７をそれぞれ連結してある。前記スプリングシリンダ３７は、図７及び図８に示す如くシリンダ本体３８内に、ロッド３９の基部を固着したピストン４０を摺動可能に装着するとともに、シリンダ本体３８の前部室４１（図８右側）にロッド３９先部を常時シリンダ本体３８側へ付勢しうる圧縮スプリング４２を嵌挿してなり、シリンダ本体３８の基部は天井フレーム７に立設されたブラケット４３に軸支（Ａ）され、ロッド３９先部は回転軸１４に固着された連結部材４４に軸支（Ｂ）されており、天蓋１０開閉時にロッド３９先部が連結部材４４を介してアーム１２とともに回動するようになっている。
【００１６】
前記スプリングシリンダ３７は、図９に示す如く天蓋１０開閉時に軸支間距離ＡＢが最短となる回動位置Ｙ（図９一点鎖線）すなわちアーム１２が略鉛直方向に起立した状態でその付勢力がフリーになるように設定されている。これにより閉鎖位置Ｘ（図９実線）での軸支間距離ＡＢが回動位置Ｙより長くなることから、スプリングシリンダ３７の付勢力が作用して連結部材４４とともにアーム１２を起立方向（図９時計方向）に付勢するようになっている。
【００１７】
また開放位置Ｚ（図９二点鎖線）での軸支間距離ＡＢは、閉鎖位置Ｘと同様に回動位置Ｙより長くなることから、スプリングシリンダ３７の付勢力にて連結材４４とともにアーム１２を起立方向（図９反時計方向）に付勢するようになっている。また開放位置Ｚでは閉鎖位置Ｘより軸支間距離ＡＢが長くなるように設定してあり、スプリングの付勢力を閉鎖位置Ｘより大きく作用させるようになっている。
さらに閉鎖位置および開放位置でのスプリングシリンダ３７の付勢力は、天蓋１０の自重がわずかに打ち勝って開放位置および閉鎖位置にそれぞれ保持される程度に調整されている。
【００１８】
尚、本実施の形態ではスプリングシリンダのロッド先部を回転軸側に連結してあるが、シリンダ本体の基部を回転軸側に連結させるようにしても同様の作用効果を有するものである。
【００１９】
本発明は前記の如き構成で、次に作用について説明する。図３の天蓋１０閉鎖位置から天蓋１０を開放する場合は、操作レバー３１を手動にて回転操作し、下部スプロケット３４、第３チェーン３６を介して上部スプロケット３５を回転させる。すると前部左側（図１左下側）の第１スプロケット２２及び第２スプロケット２７が回転し、それに伴い第２チェーン２８、第２スプロケット２６及び連結軸２５を介して後部左側の第１スプロケット２２が回転するとともに、第１チェーン２３を介して前後右側の第１スプロケット２２がそれぞれ回転し、前後左右のアーム１２が同調して起立方向に回動し始める。
その際、アーム１２には連結部材４４を介してスプリングシリンダ３７による起立方向（図９時計方向）への付勢力が作用するため、操作レバー３１の回転操作をわずかな労力で行うことができる。
【００２０】
アーム１２が起立方向へ回動すると、各天蓋１０の内端部が前後一対のアーム１２にて上方へ持ち上げられるとともに、外端部はガイドローラ１６上をスライドして側壁４の外側に移動する。アーム１２が鉛直位置付近（図１０）まで回動すると、スプリングシリンダ３７の軸支間距離ＡＢが最短になり、アーム１２はスプリングシリンダ３７の付勢力から解放される。
【００２１】
さらに操作レバー３１を回転操作すると、アーム１２先部は図１１の如く側壁４の上方位置まで回動するとともに、天蓋１０はクッションゴム１９に当接して側壁４の外面に沿接した状態（開放位置）になり、コンテナ１の開口部８が開放される。
その際、スプリングシリンダ３７の軸支間距離ＡＢが長くなるためアーム１２にはスプリングシリンダ３７にて起立方向（図９反時計方向）への付勢力が作用するが、天蓋１０の自重がスプリングシリンダ３７の付勢力に打ち勝つため、天蓋１０をゆっくりと開放させることができる。
【００２２】
天蓋１０開放後は、開口部８から積載物をコンテナ１内に投入する。投入作業が終了すると天蓋１０を閉鎖する。天蓋１０の閉鎖作業は、操作レバー３１を手動にて回転操作し、下部スプロケット３４、第３チェーン３６を介して上部スプロケット３５を回転させる。
すると開放時と同様に、前後左右のアーム１２は同調して起立方向に回動し始める。その際、アーム１２先部には天蓋１０を片持ち支持させているため、アーム１２を起立方向に回動させるには閉鎖位置の場合より大きな回転力を必要とするが、アーム１２には連結部材４４を介してスプリングシリンダ３７による起立方向（図９反時計方向）への付勢力が閉鎖位置の場合より大きく作用するため、開放作業時と変わることなくわずかな労力で操作レバー３１を回転操作することができる。
【００２３】
アーム１２が起立方向へ回動すると、各天蓋１０の内端部がアーム１２先部とともに上方へ持ち上げられるとともに、外端部はガイドローラ１６上をスライド移動し、アーム１２が鉛直位置付近（図１０）まで回動すると、スプリングシリンダ３７の軸支間距離ＡＢが最短になり、アーム１２はスプリングシリンダ３７の付勢力から解放される。
【００２４】
さらに操作レバー３１を回転操作すると、アーム１２先部は図７の如くコンテナ１の中央側に倒伏回動するとともに、一方側の天蓋１０のシール部材２０が他方側の天蓋１０に当接した状態（閉鎖位置）になり、コンテナ１の開口部８が閉鎖される。
その際、スプリングシリンダ３７の軸支間距離ＡＢが長くなり、アーム１２にはスプリングシリンダ３７にて起立方向（図９時計方向）への付勢力が作用するが、天蓋１０の自重がスプリングシリンダ３７の付勢力に打ち勝つため、天蓋１０をゆっくりと閉鎖することができる。また、天蓋１０の外端部は図４の如く係合ピン１７がブラケット１５の係合溝１８に係合するため、コンテナ１搬送時に、天蓋１０の外端部が振動や風圧にて上下動するのを防止することができる。
【図面の簡単な説明】
【００２５】
【図１】本発明のコンテナの平面図である。
【図２】コンテナの側面図である。
【図３】コンテナの正面図である。
【図４】図３の要部拡大図である。
【図５】図１の要部拡大図である。
【図６】同調手段の全体図である。
【図７】天蓋の閉鎖状態を示す作用図である。
【図８】スプリングシリンダの断面図である。
【図９】天蓋開閉時におけるスプリングシリンダの作用図である。
【図１０】天蓋の開閉途中を示す作用図である。
【図１１】天蓋の開放状態を示す作用図である。
【符号の説明】
【００２６】
１  コンテナ
８  開口部
９  天蓋開閉装置
１０  天蓋
１２  アーム
２１  同調手段
３０  伝達手段
３１  操作レバー
３７  スプリングシリンダ
【図１】
2005132498.tif 000003
【図２】
2005132498.tif 000004
【図３】
2005132498.tif 000005
【図４】
2005132498.tif 000006
【図５】
2005132498.tif 000007
【図６】
2005132498.tif 000008
【図７】
2005132498.tif 000009
【図８】
2005132498.tif 000010
【図９】
2005132498.tif 000011
【図１０】
2005132498.tif 000012
【図１１】
2005132498.tif 000013